(57)【要約】      （修正有）【課題】用水施設の備えられていない作業現場や野外での作業時、洗浄用及び飲用に活用することができ、且つ、耐久性を向上させることが可能な建設装備におけるエアコン凝縮水取出装置を提供する。 【解決手段】エアコンの蒸発器から流下する凝縮水を集める受け器３と、前記蒸発器一側に設けられ、上部と下部とが防振部材１２により固定され、内部に複数の支持枠１３を備えた本体２０と、前記蒸発器から形成される凝縮水が入水バルブ１４に供給されるように案内する集水管１５と、入水バルブを介して引き込まれる凝縮水を貯蔵する貯蔵タンク１６と、前記貯蔵タンクから供給される凝縮水に含まれている埃、重金属及び有機化学物を濾過する浄水フィルター１７と、前記濾過済みの凝縮水を貯蔵し、前記本体外部に連設される取出管１９を備えた浄水タンク１８とを含めて成された建設装備におけるエアコン凝縮水取出装置。【選択図】図３
2008024295.tif 000002
【特許請求の範囲】
【請求項１】
蒸発器から流下する凝縮水を受け器に集水させ、再処理を施す建設装備のエアコン凝縮水取出装置において、
前記蒸発器一側に設けられ、上部と下部とが防振部材により固定され、且つ、内部に複数の支持枠を備えた本体と、
前記蒸発器から形成する凝縮水が入水バルブに供給されるように案内する集水管と、
前記入水バルブにつながり、前記入水バルブを介して引き込まれる凝縮水を貯蔵する貯蔵タンクと、
前記貯蔵タンクから供給される凝縮水に含まれている埃、重金属及び有機化学物を濾過する浄水フィルターと、
前記濾過済みの凝縮水を貯蔵し、前記本体外部に延設される取出管を備えた浄水タンクとを含めることを特徴とする建設装備におけるエアコン凝縮水取出装置。
【請求項２】
前記浄水フィルターは、前記貯蔵タンクから供給される凝縮水に含まれている異物を精製し、活性炭及びポリプロピレン剤を包含する濾過フィルターと、
前記濾過フィルターを介して引き込まれる凝縮水の重金属及び有機化合物を精製し、且つ、ポリアミド剤を包含する抗菌フィルターとを含めて成されることを特徴とする請求項１に記載の建設装備におけるエアコン凝縮水取出装置。
【請求項３】
前記貯蔵タンクの内部において凝縮水の水位が適正なレベルに到達したら、外部に排出せしめるようになっている排出管をさらに含めて成されることを特徴とする請求項１又は２に記載の建設装備におけるエアコン凝縮水取出装置。
【請求項４】
前記濾過フィルターをカーボンフィルターから構成し、且つ、前記抗菌フィルターはメンブレンフィルターから構成することを特徴とする請求項１又は２に記載の建設装備におけるエアコン凝縮水取出装置。
【請求項５】
前記本体に把手部の操作により前方に回動開閉するドアが備えられ、且つ、前記浄水フィルターが防振パッキングにより前記本体の支持枠周りに装着されることを特徴とする請求項１又は２に記載の建設装備におけるエアコン凝縮水取出装置。
【請求項６】
前記取出管の一側に前記貯蔵タンクに保存されている濾過済みの凝縮水を選択的に開閉するフォーセットをさらに構成してなされることを特徴とする請求項１又は２に記載の建設装備におけるエアコン凝縮水取出装置。
【発明の詳細な説明】
【技術分野】
【０００１】
本発明は、建設装備におけるエアコン凝縮水取出装置に関するものであって、さらに詳しくは、エアコン蒸発器で凝結する凝縮水を集水し、必要時に浄水及び洗水として用いることができるように構成した建設装備におけるエアコン凝縮水取出装置に関する。
【背景技術】
【０００２】
通常、掘削機や大型トラックなどのような建設車両におけるエアコンシステムは、冷媒を高温・高圧に圧縮する圧縮機、該圧縮機により圧縮された高温・高圧の冷媒を凝縮するための凝縮器、受付タンク、ドライヤ及び冷媒を蒸発させ、室内に流れ込ませる蒸発器などからなっている 。
【０００３】
こうした従来のエアコンシステムにおいて、蒸発器は凝縮器の前方や側方に配設され、圧縮機により圧縮された冷媒が蒸発器を通過しながら蒸発され、且つ、圧縮器により圧縮された高温・高圧の冷媒が凝縮器により凝縮されることによって、運転室に涼しい空気を供給することが可能となる。
【０００４】
エアコン作動時、蒸発器８が室内の熱を吸収するうちに空気中の水蒸気を凝結させることで蒸発器の周囲に凝縮水が発生することになるが、この凝縮水は無用となり、そのまま外部に排出されてしまう。
【０００５】
図１は、従来建設装備のエアコンから発生する凝縮水の排出状態の概略を示した図面である。図示の如く、送風ファン１の回転により熱い空気Ａは、蒸発器２を経て冷却されたのちに供給通路に沿って排出される。そこで、蒸発器２の下部に凝縮水Ｗが生じ、この凝縮水Ｗは、受け器３を経て直ぐに外部に排出される。
【０００６】
場合によっては、凝縮水Ｗにより装備が汚れたり、埃などの吸着による汚染を防止すべく、ホース(図示せず)を受け器３の排出口側に取り付けて使用することもある。
【０００７】
かくして、建設装備の劣悪な作業環境上、凝縮水Ｗに微細な埃や油っぽい成分などが多く含まれていることから、従来には蒸発器２から発生する凝縮水Ｗが洗浄用又は飲用に活用できず、無用に外部に捨てられるという資源浪費を招いた。
【０００８】
特に、野山や開発地などのような建設現場など、仕方なく用水施設が設けられていないところで作業を行う場合には、作業者の飲用や装備の簡単な洗浄のために別の水筒や他の水供給手段を備えなければならないという不都合があった。
【０００９】
このように、従来には建設装備のエアコン凝縮水を集めて別度にリサイクルすべく処理したり、又は、取水せず、外部へ排出させることから、資源浪費につながるという問題があった。
【００１０】
また、凝縮水には、劣悪な作業現場の環境により埃やオイルなどの異物成分による汚染が極めて多いだけでなく、建設装備の特性上、振動が激しいことから、取水設備や処理設備を別途に設置しにくいという問題をも抱えていた。
【発明の開示】
【発明が解決しようとする課題】
【００１１】
本発明は、かかる従来技術の問題点等に鑑みてなされたものであり、該目的は、蒸発器から供給される凝縮水を集めて洗浄用及び飲用に活用することができる建設装備におけるエアコン凝縮水取出装置を提供することにある。
【００１２】
また、本発明の他の目的は、埃やオイルなどの異物成分を濾過することができるばかりでなく、振動を緩衝することにより凝縮水の取水及び処理を効率よく行えるような建設装備におけるエアコン凝縮水取出装置を提供することにある。
【課題を解決するための手段】
【００１３】
前述した目的を達成するために、本発明は、蒸発器から流下する凝縮水を受け器に集めて再処理する建設装備におけるエアコン凝縮水取出装置において、前記蒸発器一側に設けられ、上部と下部とが防振部材により支えられ、内部に複数の支持枠を備えた本体と、前記蒸発器から形成される凝縮水が入水バルブに供給されるように案内する集水管と、前記入水バルブにつながり、前記入水バルブを介して引き込まれる凝縮水を貯蔵する貯蔵タンクと、前記貯蔵タンクから供給される凝縮水に含まれている埃、重金属及び有機化学物を濾過する浄水フィルターと、前記濾過済みの凝縮水を貯蔵し、前記本体外部に延設される取出管を備えた浄水タンクとを含めて成された建設装備におけるエアコン凝縮水取出装置を特徴する。
【００１４】
また、前記浄水フィルターは、前記貯蔵タンクから供給される凝縮水に含まれている異物を精製し、活性炭及びポリプロピレン剤を含めた濾過フィルターと、前記濾過フィルターを介して引き込まれる凝縮水の重金属及び有機化合物を精製し、且つ、ポリアミド剤を含める抗菌フィルターとを含めて成される建設装備におけるエアコン凝縮水取出装置を特徴とする。
【００１５】
また、前記貯蔵タンクの内部において、凝縮水の水位が適正なレベルに到達したら、外部に排出させるようになっている排出管をさらに含めて成される建設装備におけるエアコン凝縮水取出装置を特徴とする。
【００１６】
また、前記濾過フィルターをカーボンフィルターから構成し、前記抗菌フィルターはメンブレンフィルターから構成する建設装備におけるエアコン凝縮水取出装置を特徴とする。
【００１７】
さらに、前記取出管の一側に前記貯蔵タンクに保存されている濾過済みの凝縮水を選択的に開閉するためのフォーセットをさらに構成してなされる建設装備におけるエアコン凝縮水取出装置を特徴とする。
【発明の効果】
【００１８】
以上で詳述したように、本発明による建設装備におけるエアコン凝縮水取出装置は、作業現場において別の用水施設が備えられていない場合や野外での作業時に、蒸発器から供給される凝縮水を浄水フィルターを介して処理することによって、埃やオイルなどの異物を除去し、洗浄用及び飲用に活用することができ、且つ、本体及び浄水フィルターに振動が激しく与えられても、これを防振部材により吸収することによって耐久性を向上させるなど、該効果が極めて優れている。 
【発明を実施するための最良の形態】
【００１９】
以下、添付図面に基づいて本発明による建設装備におけるエアコン凝縮水取出装置の構成について詳しく説明する。
【００２０】
図２は、本発明の一実施例により蒸発器下部に設けられた建設装備のエアコン凝縮水取出装置の概略を示した図面であり、図３は、同実施例による建設装備のエアコン凝縮水取出装置の側断面図であり、図４は、同実施例による建設装備のエアコン凝縮水取出装置のドア開放時の概略を示した斜視図であり、図５は、本発明の他の実施例による建設装備のエアコン凝縮水取出装置の概略を示した図面である。
【００２１】
本発明の建設装備におけるエアコン凝縮水取出装置は、大型トラックや掘削機、ローダーなどを含める建設装備に様々な形態に適用し得るものの、望ましい一実施例によれば、本発明による建設装備のエアコン凝縮水取出装置は、蒸発器２から流下する凝縮水Ｗを受け器３に集めて再処理する建設装備におけるエアコン凝縮水取出装置において、前記蒸発器２の一側に設けられ、上部１１ａと下部１１ｂとが防振部材により支えられ、内部に複数の支持枠１３を備えた本体２０と、前記蒸発器２から形成される凝縮水Ｗが入水バルブ１４に供給されるように案内する集水管１５と、前記入水バルブ１４につながり、前記入水バルブ１４を介して引き込まれる凝縮水Ｗを貯蔵する貯蔵タンク１６と、前記貯蔵タンク１６から供給される凝縮水Ｗに含まれた埃、重金属及び有機化学物を濾過する浄水フィルター１７、及び前記濾過済みの凝縮水Ｗを貯蔵し、前記本体２０の外部に延設された取出管１９を備えた浄水タンク１８を含めて構成される。
【００２２】
前記本体２０は、回動可能なドア１１ｃを備え、把手部２１の操作により前方に回動開閉される。また、前記本体２０の内壁は、支持枠１３が内壁面上に突き出されることでフランジを形成することになる。
【００２３】
また、前記支持枠１３の周りには防振パッキング２３が取り付けられ、前記貯蔵タンク１６と浄水フィルター１７の上部及び下部のうちに少なくとも一側が前記支持枠１３に取り付けられる。
【００２４】
本発明の実施例において、図３に示されたように支持枠１３上で防振パッキング２３が介在されたうえで、前記貯蔵タンク１６及び浄水フィルター１７が取り付けられる。
【００２５】
前記防振部材１２は、ゴム材の弾性体からなり、ボルト外周縁上に嵌合され、且つ、前記防振パッキング２３はゴム材や発泡ウレタン成形体からなり、支持枠１３に固定される。
【００２６】
本発明の建設装備におけるエアコン凝縮水取出装置において、前記浄水フィルター１７は、前記貯蔵タンク１６から供給される凝縮水Ｗに含まれている異物を精製し、活性炭及びポリプロピレン剤を包含する濾過フィルターと、前記濾過フィルターを介して引き込まれる凝縮水の重金属及び有機化合物を精製し、且つ、出口側にポリアミド剤を包含する抗菌フィルター２４を含めてなされる。
【００２７】
前記濾過フィルター１７は、活性炭の多孔性により埃の微細粒子や異物を濾し取るが、望ましくは５ミクロン以上の微細な異物を除去して凝縮水Ｗを精製する。
【００２８】
また、前記抗菌フィルター２４は、前記濾過フィルターを介して濾過された凝縮水のバクテリア有機物やオイルに包含の重金属などを濾し取り、０.０００１ミクロン以下の異物を除去し、凝縮水Ｗを精製する。
【００２９】
本発明の他の実施例において、図５に示されたように、前記濾過フィルター１７をカーボンフィルター１７ａから構成し、前記抗菌フィルター２４はメンブレンフィルター１７ｂから構成することによって、蒸発器２から集水した凝縮水Ｗを飲用に処理することが可能となる。
【００３０】
本発明の建設装備におけるエアコン凝縮水取出装置は、前記取出管１９の一側に、前記浄水タンク１８に保存された濾過済みの凝縮水Ｗを排出するように選択的に開閉動作を行うフォーセット２５をさらに構成してなされる。
【００３１】
また、本発明の建設装備におけるエアコン凝縮水取出装置は、前記貯蔵タンク１６内部において、凝縮水Ｗの水位が適切なレベルに到達した際に外部に排出するようになっている排出管２６をさらに含めて構成される。
【００３２】
前記排出管２６は、その入口にホース部材３０を繋げて貯蔵タンク１６内で一定水位に到達すると、引き込まれる凝縮水Ｗが前記浄水フィルター１７を通る前に外部に排出されるように案内し、且つ、前記蒸発器２から生じる凝縮水Ｗ及び前記貯蔵タンク１６に引き込まれる凝縮水Ｗの流量を考慮して設置位置を変更することができる。
【００３３】
また、本発明の建設装備におけるエアコン凝縮水取出装置は、圧力保持のために前記貯蔵タンク１６と前記浄水フィルター１７とを連結する連結管２７に圧力ポンプ(図示せず)をさらに構成し得ることはもちろんである。
【００３４】
この場合、前記圧力ポンプは、予め設定しておいた圧力によって前記貯蔵タンク１６に引き込まれた凝縮水Ｗを浄水フィルター１７に流出せしめる機能を奏するように浄水タンク１８の内部圧力を考慮しなければならない。
【００３５】
本発明の説明において、説明されていない符号２２は、ヒンジ具であり、２７は、本体を建設装備の一側に取り付けるためのボルトなどのような固定部材を示したものである。
【００３６】
以下、本発明の建設装備におけるエアコン凝縮水取出装置の作用効果について述べる。
通常、蒸し暑い夏などにエアコンを作動する際、図２の如く、蒸発器２から凝縮水Ｗが発生し、本発明により前記蒸発器２の下部に設けられている受け器３、集水管１５及び入水バルブ１４を連結して前記蒸発器２の一側に本体２０を固定する。
【００３７】
建設装備の操作及び作業過程で振動が非常に激しく生じるものの、防振部材１２が前記本体２０の上部１１ａと下部１１ｂに介在されることによって、本体２０に与えられる装備の振動を緩衝することができる。
【００３８】
また、浄水フィルター１７と本体２０内壁の支持枠１３との間に介在された防振パッキング２３により、浄水フィルター１７に与えられる振動を緩衝すると共に、貯蔵タンク１６に与えられる振動も同じく緩衝及び吸収することができる。
【００３９】
これは、前記防振部材１２及び防振パッキング２３の弾性により振動を吸収することができ、これによって浄水フィルター１７や貯蔵タンク１６などの各部品の組立性が向上できることから、耐久性をさらに保持することが可能となる。
【００４０】
作業現場の環境が、振動に非常に脆弱であると共に、長時間の使用過程で振動が極端に発生する場合、前記防振部材１２を二重に配設したり、又は弾性バネをボルトなどの締付部材２７間に別度に介在するといった変形も可能であり、振動をさらに緩衝及び吸収する作用は同様である。
【００４１】
本発明において、集水管１５と入水バルブ１４を経て凝縮水が貯蔵タンク１６内部に引き込まれ、次いで浄水フィルター１７や抗菌フィルター２４を介して埃や有機化学物を除去したうえで浄水タンク１８に集まるようになっている。
【００４２】
この過程で、凝縮水Ｗは、圧縮ポンプにより予め設定されている圧力によりそれぞれのフィルター１７、２４を通過することができ、且つ、オペレータは、フォーセット２５を開放し、濾過処理された凝縮水を洗浄用又は飲用として活用することが可能となる。
【００４３】
前記貯蔵タンク１６内部において、凝縮水Ｗの水位が一定レベルに到達すると、排出管２６に流出され、ホース３０を介して装備の外部に排出される。
【００４４】
もし、メンテナンスが必要となる場合、オペレータは、把手部２１を引くことによってドア１１ｃを前方に開放させた後、支持枠１３から前述したそれぞれのフィルター１７、２４やそれぞれのタンク１６、１８などを交換したり、簡単に着脱することから、メンテナンスを容易に施すことが可能となる。
【００４５】
一方、本発明の他の実施例によって、それぞれの浄水フィルター１７及び抗菌フィルター２４がカーボンフィルター１７ａ及びメンブレンフィルター１７ｂからなる場合には、建設現場で凝縮水Ｗに包含されている埃や他の汚染成分を適宜に処理し、必要時に作業者が容易に飲用または洗面用に凝縮水を活用することができる。
【００４６】
本発明の様々な実施例において、前記浄水フィルターに濾過フィルター及び抗菌フィルターを様々なセットにモジュール化して多段に配設することができ、且つ、この場合、建設装備の振動を考慮して本体内部に防振パッキングの他に発泡性部材をさらに充填して設けることができる。
【図面の簡単な説明】
【００４７】
【図１】従来建設装備におけるエアコンから発生する凝縮水の排出状態の概略を示した図面である。
【図２】本発明の一実施例により蒸発器下部に設置した建設装備のエアコン凝縮水取出装置の概略を示した図面である。
【図３】同実施例による建設装備のエアコン凝縮水取出装置の側断面図である。
【図４】同実施例による建設装備のエアコン凝縮水取出装置のドア開放時の概略を示す斜視図である。
【図５】本発明の他の実施例による建設装備のエアコン凝縮水取出装置の概略を示す図面である。
【符号の説明】
【００４８】
１  送風ファン
２  蒸発器 
３  受け器
１３  支持枠
１４  入水バルブ
１５  集水管
１６  貯蔵タンク
１７  浄水フィルター
１８  浄水タンク
２０  本体
２４  抗菌フィルタ
２５  フォーセット(ｆａｕｃｅｔ)
【図１】
2008024295.tif 000003
【図２】
2008024295.tif 000004
【図３】
2008024295.tif 000005
【図４】
2008024295.tif 000006
【図５】
2008024295.tif 000007